(57)【要約】      （修正有）【課題】火災時におけるスプリンクラーの消火機能や火災報知器の検知機能を阻害することなく、かつ飛沫によるウィルス感染を防止するための、オフィスや役所や病院等の窓口カウンターに設けられるカーテン設備を提供する。【解決手段】カーテン１は、口孔が複数設けられたメッシュ部３ａを有する樹脂で構成される上部シート３と透明樹脂または半透明樹脂で構成される下部シート５を継ぎ合せてなる。【選択図】図１
0003229329.tif 000002
【実用新案登録請求の範囲】
【請求項１】
口孔が複数設けられたメッシュ部を有する樹脂で構成される上部シートと透明樹脂または半透明樹脂で構成される下部シートを継ぎ合せてなる、カーテン設備。
【考案の詳細な説明】
【技術分野】
【０００１】
本考案は、カーテン設備に関し、特に、飛沫によるウィルス感染を防止するための、オフィスや役所や病院等の窓口カウンターに設けられるカーテン設備に関する。
【背景技術】
【０００２】
従来、半透明のカーテンが開発されている（例えば、特許文献１）。また、飛沫によるウィルス感染を防止するための、オフィスや役所や病院等の窓口カウンターに設けられるカーテンに透明のカーテンが用いられている。
【先行技術文献】
【特許文献】
【０００３】
【特許文献１】特開２０１９−７８０２５号公報
【考案の概要】
【考案が解決しようとする課題】
【０００４】
しかし、特許文献１に示すカーテンは、全面が水や空気を通さないビニールシート等の樹脂で構成されるため、特許文献１に示すカーテンを天井に設けたスプリンクラーや火災報知器の近くに設置すると、火災時において、スプリンクラーの消火機能や火災報知器の検知機能を阻害してしまうという安全上の問題がある。
【０００５】
本考案の目的は、このようなことに鑑みてなされたものであり、火災時におけるスプリンクラーの消火機能や火災報知器の検知機能を阻害することなく、かつ飛沫によるウィルス感染を防止するための、オフィスや役所や病院等の窓口カウンターに設けられるカーテン設備を提供することである。
【課題を解決するための手段】
【０００６】
上記目的は、
口孔が複数設けられたメッシュ部（３ａ）を有する樹脂で構成される上部シート（３）と透明樹脂または半透明樹脂で構成される下部シート（５、１５）を継ぎ合せてなる、カーテン設備（１、１０）
によって達成される。
【考案の効果】
【０００７】
本考案によれば、火災時におけるスプリンクラーの消火機能や火災報知器の検知機能を阻害することなく、かつ飛沫によるウィルス感染を防止するための、オフィスや役所や病院等の窓口カウンターに設けられるカーテン設備を提供することができる。
【図面の簡単な説明】
【０００８】
【図１】本考案の第一の実施形態によるカーテン１の正面図である。
【図２】本考案の第二の実施形態によるカーテン１０の正面図である。
【図３】本考案の第三の実施形態による上下に開閉するビニールシェード２０の正面図と背面図である。
【図４】本考案の第三の実施形態による上下に開閉するビニールシェード２０の平面図と底面図である。
【図５】考案の第三の実施形態による上下に開閉するビニールシェード２０の右側面図と左側面図である。
【図６】考案の第四の実施形態による左右に開閉するビニールカーテン３０の斜視図である。
【考案を実施するための形態】
【０００９】
図１を用いて、本考案の第一の実施形態によるカーテン１を説明する。なお、以下の全ての図面においては、理解を容易にするため、各構成要素の寸法や比率などは適宜異ならせて図示している。
【００１０】
図１は、カーテン１の正面図である。図１に示すように、カーテン１は、口孔が複数設けられたメッシュ部３ａを有する樹脂で構成される上部シート３と透明な樹脂で構成される下部シート５を継ぎ合せてなるカーテンである。カーテン１は、図６に示すようにカーテンフックを上部シート３の上端につけてカーテンレールに吊るして使用することや、図３〜図５に示すように上下に開閉するシェードとしても使用することやロールスクリーンとしても使用することができる。なお、カーテン１は、上部シート３と下部シート５が一つの材料で構成される場合があってもよい。
【００１１】
上部シート３は、防火性、抗菌性、および防臭性のある樹脂材料が好ましく、例えば、ポリエステルが用いられる。上部シート３は、複数の縦紐と複数の横紐で構成されるメッシュ部３ａと枠３ｂで構成される。なお、上部シート３は、ポリエチレン、ポリプロピレン、ナイロン等の樹脂材料が用いられてもよいし、ポリ塩化ビニル製の樹脂材料が用いられてもよい。また、上部シート３は、紙、麻、綿等の自然素材が用いられる場合があってもよい。
【００１２】
下部シート５は、防火性、抗菌性、および防臭性のある樹脂材料が好ましく、例えば、ポリエステルが用いられる。また、下部シート５の裏面の左側、右側、及び下側の縁に沿うように、凹状の補強部材５ａが取り付けられる。補強部材５ａは、縦糸と横糸が格子状に内包され帯状の樹脂材料であり、下部シート５よりも剛性の高い材料で構成されるが、補強部材５ａと下部シート５が同じ樹脂で構成される場合があってもよい。なお、下部シート５、補強部材５ａは、ポリエチレン、ポリプロピレン、ナイロン等の樹脂材料が用いられてもよいし、ポリ塩化ビニル製の樹脂材料が用いられてもよい。
【００１３】
このように、本実施形態のカーテン１は、メッシュ部３ａを有する樹脂で構成される上部シート３と透明な樹脂で構成される下部シート５を継ぎ合せてなることで、対面する人の飛沫を適切に防止しつつも、火災時のスプリンクラーの消火機能や火災報知器の検知機能を阻害しないようにすることが可能となるため、オフィスや役所や病院等の窓口カウンターに設けられるカーテン設備に好適である。
【００１４】
図２を用いて、本考案の第二の実施形態によるカーテン１０を説明する。なお、上述の実施形態と同じ構成については符号を同一にすることでその説明を省略する場合がある。
【００１５】
図２は、カーテン１０の正面図である。図２に示すように、カーテン１０は、上部シート３と半透明な樹脂で構成される下部シート１５を継ぎ合せてなるカーテンである。カーテン２は、図６に示すようにカーテンフックを上部シート３の上端につけてカーテンレールに吊るして使用することや、図３〜図５に示すように上下に開閉するシェードとしても使用することやロールスクリーンとしても使用することができる。なお、カーテン２は、上部シート３と下部シート１５が一つの材料で構成される場合があってもよい。
【００１６】
下部シート１５は、防火性、抗菌性、および防臭性のある樹脂材料が好ましく、例えば、ポリエステルが用いられる。また、下部シート１５の裏面の左側、右側、及び下側の縁に沿うように、凹状の補強部材５ａが取り付けられる。補強部材５ａは、下部シート１５よりも剛性の高い材料で構成されるが、補強部材５ａと下部シート１５が同じ樹脂で構成される場合があってもよい。また、下部シート１５には、複数の縦糸と横糸が封入されている。なお、下部シート１５、補強部材５ａは、ポリエチレン、ポリプロピレン、ナイロン等の樹脂材料が用いられてもよいし、ポリ塩化ビニル製の樹脂材料が用いられてもよい。
【００１７】
このように、本実施形態のカーテン１０は、メッシュ部３ａを有する樹脂で構成される上部シート３と半透明な樹脂で構成される下部シート１５を継ぎ合せてなることで、プライバシーの確保と人の飛沫を適切に防止しつつも、火災時のスプリンクラーの消火機能や火災報知器の検知機能を阻害しないようにすることが可能となるため、オフィスや役所や病院等の窓口カウンターに設けられるカーテン設備に好適である。
【００１８】
図３〜図５を用いて、本考案の第三の実施形態によるビニールシェード２０を説明する。なお、上述の実施形態と同じ構成については符号を同一にすることでその説明を省略する場合がある。
【００１９】
図３（ａ）は、ビニールシェード２０の正面図であり、図３（ｂ）は、ビニールシェード２０の背面図であり、図４（ａ）は、ビニールシェード２０の平面図であり、図４（ｂ）は、ビニールシェード２０の底面図であり、図５（ａ）は、ビニールシェード２０の右側面図であり、図５（ｂ）は、ビニールシェード２０の左側面図である。
【００２０】
ビニールシェード２０は、昇降装置２１、透明樹脂で構成される透明シート２５、およびウェイトバー２３で構成される。透明シート２５は、全体が透明である。また、ウェイトバー２３は、透明シート２５の下部に巻き込まれて保持される。透明シート２５の左、真中、および右にある縦方向に延伸する帯は、縦糸と横糸が編み込まれた樹脂製の補強部材２５ｂ１、２５ｂ２、２５ｂ３である。この補強部材２５ｂ１、２５ｂ２、２５ｂ３は、透明シート２５の背面側に設けられる。透明シート２５は、５つの透明シートをつなぎ合わせて構成される。４本のシートのつなぎ目と３本の縦方向に延伸する補強部材２５ｂ１、２５ｂ２、２５ｂ３のそれぞれの接点にリング状のフック２２が合計１２個設けられ、これらのフックに昇降機から延伸する３本の紐２１ｂ１、２１ｂ２、２１ｂ３を通し、これらの紐が透明シート２５の下部に取り付けられる。なお、透明シート２５は、半透明であってもよい。
【００２１】
透明シート２５は、防火性、抗菌性、および防臭性のある樹脂材料が好ましく、例えば、ポリエステルが用いられる。また、補強部材５ａは、透明シート２５よりも剛性の高い材料で構成されるが、補強部材５ａと透明シート２５が同じ樹脂で構成される場合があってもよい。なお、透明シート２５は、ポリエチレン、ポリプロピレン、ナイロン等の樹脂材料が用いられてもよいし、ポリ塩化ビニル製の樹脂材料が用いられてもよい。
【００２２】
このように、本実施形態のビニールシェード２０は、透明シート２５を上下に開閉することが可能なため、人の飛沫を適切に防止しつつも、透明シート２５を上に開くことで、火災時のスプリンクラーの消火機能や火災報知器の検知機能を阻害しないようにすることが可能となるため、オフィスや役所や病院等の窓口カウンターに設けられるカーテン設備に好適である。
【００２３】
図６を用いて、本考案の第三の実施形態によるビニールカーテン３０を説明する。なお、上述の実施形態と同じ構成については符号を同一にすることでその説明を省略する場合がある。
【００２４】
図６は、ビニールカーテン３０の斜視図である（ビニールカーテン３０の下部を省略している。）。図６に示すように、ビニールカーテン３０は、透明な樹脂で構成される透明シート３５をカーテンレールに吊るして使用するカーテン設備である。
【００２５】
透明シート３５は、防火性、抗菌性、および防臭性のある樹脂材料が好ましく、例えば、ポリエステルが用いられる。また、補強部材５ａは、透明シート３５よりも剛性の高い材料で構成されるが、補強部材５ａと透明シート３５が同じ樹脂で構成される場合があってもよい。なお、透明シート３５は、ポリエチレン、ポリプロピレン、ナイロン等の樹脂材料が用いられてもよいし、ポリ塩化ビニル製の樹脂材料が用いられてもよい。
【００２６】
このように、本実施形態のビニールカーテン３０は、透明シート３５を左右に開閉することが可能なため、人の飛沫を適切に防止しつつも、透明シート３５を左右に開くことで、火災時のスプリンクラーの消火機能や火災報知器の検知機能を阻害しないようにすることが可能となるため、オフィスや役所や病院等の窓口カウンターに設けられるカーテン設備に好適である。
【００２７】
上述の実施形態は、本考案の好適な一例であるので、技術的に好ましい種々の限定が付されているが、本考案の範囲は、上述の説明によって不当に限定されるものではない。また、上述の実施形態で説明される構成の全てが本考案の必須の構成要件ではない。また、上述の実施形態で説明される構成は相互に付け足したり組み合わせたりしてもよい。
【００２８】
本考案は、上述に示したカーテン設備以外のあらゆるカーテン設備においても適用可能である。
【産業上の利用可能性】
【００２９】
本考案は、カーテン設備において広く利用可能である。
【符号の説明】
【００３０】
１、１０  カーテン
２０  ビニールシェード
３０  ビニールカーテン
３  上部シート
３ａ  メッシュ部
３ｂ  枠
５、１５  下部シート
５ａ、２５ｂ１〜２５ｂ３  補強部材
２１  昇降装置
２５、３５  透明シート
【図１】
0003229329.tif 000003
【図２】
0003229329.tif 000004
【図３】
0003229329.tif 000005
【図４】
0003229329.tif 000006
【図５】
0003229329.tif 000007
【図６】
0003229329.tif 000008